【手続補正書】
【提出日】平成17年4月14日(2005.4.14)
【手続補正１】
【補正対象書類名】明細書
【補正対象項目名】特許請求の範囲
【補正方法】変更
【補正の内容】
【特許請求の範囲】
【請求項１】
画像生成装置で生成された画像データと、前記画像データ生成時における前記画像生成装置の動作情報を少なくとも含むと共に前記画像データに関連付けられた画像生成履歴情報とを用いて、画像を出力する出力装置であって、
前記画像生成履歴情報と前記画像データとの両方を用いて、逆光処理を実行するか否かの逆光判定を行う判定部と、
前記逆光処理を実行すると判定した場合には、前記画像データに前記逆光処理を実行する画質調整部と、
前記画質が調整された画像データに応じて画像を出力する画像出力部と、
を備える出力装置。
【請求項２】
請求項１に記載の出力装置であって、
前記逆光処理は、前記画像データにおける少なくとも一部の画素の輝度値を大きくする処理である、出力装置。
【請求項３】
請求項１または請求項２に記載の出力装置であって、
前記判定部は、前記画像生成履歴情報が被写体の前記画像内における位置を示す被写体位置情報を含む場合に、前記被写体位置情報を用いて前記逆光判定を実行する、出力装置。
【請求項４】
請求項３に記載の出力装置であって、
前記判定部は、前記被写体位置と前記被写体位置以外の位置とで大きさが異なる重み分布を用いた前記画像データの解析結果を用いて、前記逆光判定を実行する、出力装置。
【請求項５】
請求項１ないし請求項４のいずれかに記載の出力装置であって、
前記判定部は、前記画像生成履歴情報が前記画像データ生成時における補助光源の発光情報を含む場合に、前記発光情報に基づいて前記画像データ生成時に前記補助光源による光の照射が行われたか否かを判定し、その判定結果を用いて前記逆光判定を実行する、出力装置。
【請求項６】
請求項５に記載の出力装置であって、
前記判定部は、前記発光情報を用いて、画像データ生成時における補助光源の動作結果を識別することが可能であり、さらに、前記動作結果が、
（ｉ）補助光源無し、
（ｉｉ）補助光源による発光無、
（ｉｉｉ）補助光源による発光有かつ反射光無、
のいずれかである場合に、前記画像データの輝度値を用いて、前記逆光判定を実行する、出力装置。
【請求項７】
請求項６に記載の出力装置であって、
前記画像生成履歴情報は、さらに、前記画像データ生成時における前記画像データの被写体と前記画像生成装置との距離に関する情報を含み、
前記判定部は、前記補助光源の動作結果が、前記結果（ｉ）（ｉｉ）（ｉｉｉ）のいずれでも無い場合に、前記被写体との距離の大きさを所定のしきい値と比較し、
前記被写体との距離が前記所定のしきい値以上であると判定した場合には、さらに、前記画像データの輝度値を用いて前記逆光判定を実行し、
前記被写体との距離が前記所定のしきい値よりも小さいと判定した場合には、前記逆光処理を実行しないとの判定を成立させる、
出力装置。
【請求項８】
請求項１ないし請求項７のいずれかに記載の出力装置であって、
前記判定部は、前記画像生成履歴情報が、前記画像データの被写体の場所に関する情報を含む場合に、前記被写体の場所が屋外か否かを判定し、その判定結果に応じて前記逆光判定を実行する、出力装置。
【請求項９】
請求項８に記載の出力装置であって、
前記判定部は、前記画像データ生成時における被写体の場所が屋外であると判定した場合に、前記画像データの輝度値を用いて前記逆光判定を実行する、出力装置。
【請求項１０】
請求項１または請求項２に記載の出力装置であって、
前記判定部は、
（ｉ）前記画像生成履歴情報に基づいて、前記画像データに対して前記逆光処理が不要か否かを決定するための第１の判定を実行し、
（ｉｉ）前記第１の判定において前記画像データに対して前記逆光処理が不要であると判定されなかったときには、前記画像データを用いて画素値の出現頻度を表す対象画像ヒストグラムを生成し、前記対象画像ヒストグラムを解析することによって前記逆光処理の要否を決定するための第２の判定を実行する、出力装置。
【請求項１１】
請求項１０記載の出力装置であって、
前記判定部は、前記対象画像ヒストグラムと、予め設定された参照ヒストグラムとの間の類似度を算出し、前記類似度の値に応じて前記第２の判定を実行する、出力装置。
【請求項１２】
請求項１１記載の出力装置であって、
前記対象画像ヒストグラムと前記参照ヒストグラムのそれぞれは、画素値の範囲が複数の区分に区分されているとともに各区分毎に出現頻度の代表値が設定された簡略化した形式を有しており、
前記類似度は、前記対象画像ヒストグラムと前記参照ヒストグラムの各区分毎の画素値の出現頻度の類似度を示す値である、出力装置。
【請求項１３】
請求項１ないし請求項１２のいずれかに記載の出力装置であって、
前記画質調整部は、前記画像生成履歴情報と前記画像データとの両方を用いて、前記逆光処理の強度を決定する、出力装置。
【請求項１４】
請求項１３に記載の出力装置であって、
前記画質調整部は、
前記画像生成履歴情報が被写体の前記画像内における位置を示す被写体位置情報を含む場合に、
前記被写体位置と前記被写体位置以外の位置とで大きさが異なる重み分布を用いた前記画像データの解析結果を用いて、前記逆光処理の強度を決定する、出力装置。
【請求項１５】
画像生成装置で生成された画像データと、前記画像データ生成時における前記画像生成装置の動作情報を少なくとも含むと共に前記画像データに関連付けられた画像生成履歴情報とを用いて、画像データを処理する画像データ処理装置であって、
前記画像生成履歴情報と前記画像データとの両方を用いて、逆光処理を実行するか否かの逆光判定を行う判定部と、
実行すると判定した場合には、前記画像データに前記逆光処理を実行する画質調整部と、
を備える、画像データ処理装置。
【請求項１６】
請求項１５に記載の画像データ処理装置であって、
前記逆光処理は、前記画像データにおける少なくとも一部の画素の輝度値を大きくするように前記画像データを調整する処理である、画像データ処理装置。
【請求項１７】
画像生成装置で生成された画像データと、前記画像データ生成時における前記画像生成装置の動作情報を少なくとも含むと共に前記画像データに関連付けられた画像生成履歴情報とを用いて、画像データを処理する画像データ処理方法であって、
（ａ）前記画像生成履歴情報と前記画像データとの両方を用いて、逆光処理を実行するか否かの逆光判定を行う工程と、
（ｂ）前記逆光処理を実行すると判定した場合に、前記画像データに前記逆光処理を実行する工程と、
を含む、画像データ処理方法。
【請求項１８】
請求項１７に記載の画像データ処理方法であって、
前記逆光処理は、前記画像データにおける少なくとも一部の画素の輝度値を大きくするように前記画像データを調整する処理である、画像データ処理方法。
【請求項１９】
画像生成装置で生成された画像データと、前記画像データ生成時における前記画像生成装置の動作情報を少なくとも含むと共に前記画像データに関連付けられた画像生成履歴情報とを用いた画像データの処理をコンピュータに実行させるためのコンピュータプログラムであって、
（ａ）前記画像生成履歴情報と前記画像データとの両方を用いて、逆光処理を実行するか否かの逆光判定を行う機能と、
（ｂ）前記逆光処理を実行すると判定した場合に、前記画像データに前記逆光処理を実行する機能と、
を前記コンピュータに実現させることを特徴とする、コンピュータプログラム。
【請求項２０】
請求項１９に記載のコンピュータプログラムであって、
前記逆光処理は、前記画像データにおける少なくとも一部の画素の輝度値を大きくするように前記画像データを調整する処理である、コンピュータプログラム。
【請求項２１】
請求項１９または請求項２０に記載のコンピュータプログラムを記録したコンピュータ読み取り可能な記録媒体。